(57)【要約】      （修正有）【課題】サイドリリース式バックルの強度及び耐久性を有し、プッシュ式バックルの操作が便利なバックルを提供する。【解決手段】バックルが雄部と雌部とプッシュ・ボタンを備えている。雄部がベースと、リリース・タブを有する少なくとも一つのロッキング脚部を備えている。雌部が中空本体部と、雄部が雌部に挿入されたときにロッキング脚部を雌部にロックするためのキャッチを備えている。プッシュ・ボタンが雌部に挿入され、雄部に向かって、またこれから離れるように長手方向に移動するように適用されている。プッシュ・ボタンはベースと、このベースの内面に取り付けられたばねと少なくとも一つのリリース片を有している。プッシュ・ボタンが押圧されると、リリース片をしてキャッチとリリース・タブ間で摺動せしめ、リリース・タブをキャッチからリリースさせるとともに、ばねをして雄部に抗して押し出し、雄部を雌部から放出せしめる。【選択図】  図１
2005177454.tif 000002
【特許請求の範囲】
【請求項１】
バックルであって、
ベースとこのベースに連結された少なくとも一つのロッキング脚部を備え、前記ロッキング脚部がリリース・タブを有している雄部と；
雄部が該雌部に完全に挿入されたときに、ロッキング脚部を該雌部にロックするためのキャッチを伴う中空本体を備えている雌部と；
雌部に挿入されるプッシュ・ボタンであって、前記雄部が雌部に挿入されたときに、雄部に向かって、またこれから離れるように長手方向に移動するように適用されたプッシュ・ボタンと；
を備え、
前記プッシュ・ボタンが、さらに、
（ａ）指によって押されるように適用された外面を有するベースと；
（ｂ）ベースに連結された少なくとも一つのリリース片とを含み、
前記雄部が前記雌部にロックされたときに、プッシュ・ボタンが押されて前記リリース片をして前記リリース・タブをキャッチから解放せしめるバックル。
【請求項２】
プッシュ・ボタン集合体が、前記ベースの内面に取り付けられたばねをさらに含み、プッシュ・ボタンが押圧されてばねをして雄部に抗してプッシュし、雄部を雌部から放出する請求項１に記載のバックル。
【請求項３】
二つのロッキング脚部と、前記雌部に配備された二つのキャッチとを備え、各ロッキング脚部が一つのチャッチによって雌部にロックされ、またプッシュ・ボタンのベースに連結された二つのリリース片をさらに含み、各リリース片がロッキング脚部の一つを対応するチャッチから開放するように適用されている請求項１に記載のバックル。
【請求項４】
雄部がベースから延長する中央脚部をさらに備え、前記中央脚部がその自由端に取り付けられた横断板を有しており、またばねが雄部と対面する端部に取り付けされた横断板を有し、前記雄部が前記雌部にロックされるとともに前記プッシュ・ボタンが押圧されたときに、前記二つの横断板が互いに接触する請求項２に記載のバックル。
【請求項５】
プッシュ・ボタンが雌部にロックされ、これによって雌部からの取り外しがでできなくなる請求項１に記載のバックル。
【請求項６】
前記中央脚部に配置された案内溝と、前記雌部に配置された対応する案内トラックとをさらに含み、前記雄部が前記雌部に挿入されたときに、前記案内溝が前記案内トラックと係合し、前記雄部を前記雌部を通る直線内に案内する請求項４に記載のバックル。
【請求項７】
表面に固定されるように適用された取付板をさらに備え、前記取付板がロッキング装置を有しており、前記雌部の外部上の対応するロッキング装置を受容し、雌部を表面に取り付けるように適用されている請求項１に記載のバックル。
【請求項８】
前記雄部と前記雌部の少なくとも一つに連結され、少なくとも一つのストラップを該バックルに連結させる少なくとも一つのストラップ取付バーをさらに備えた請求項１に記載のバックル。
【請求項９】
前記少なくとも一つのリリース・タブがフック部を含み、前記雄部が完全に前記雌部に挿入されたときに、前記少なくとも一つのキャッチと係合する請求項１に記載のバックル。
【請求項１０】
前記ばねが前記ベースから端部に延長する少なくとも一つの可撓性脚部を備え、プッシュ・ボタンが押圧されることにより、少なくとも一つの脚部が撓み、雄部に圧力を生ぜしめる請求項２に記載のバックル。
【請求項１１】
二つの可撓性脚部があり、前記脚部が前記端部で互いに連結されており、プッシュ・ボタンの押圧によって脚部をして互いに外側に離れるように湾曲せしめられる請求項１０に記載のバックル。
【請求項１２】
前記少なくとも一つのリリース片が、傾斜端部を備え、前記プッシュ・ボタンが押圧されたときに、前記傾斜端部が前記少なくとも一つのリリース・タブに沿って摺動し、前記少なくとも一つのリリース・タブを前記少なくとも一つのキャッチから離れるように移動させるとともに、雄部を雌部からリリースする請求項１に記載のバックル。
【請求項１３】
プッシュ・ボタンが、このプッシュ・ボタンの一対の可撓性ラッチと雌部の一対のリッジを介して雌部にロックされ一度プッシュ・ボタンが雌部に挿入されるとともにリッジに抗して休止され、プッシュ・ボタンが雌部からの放出が阻止されると、前記可撓性ラッチが外方に飛び出る請求項５に記載のバックル。
【請求項１４】
雌部のロッキング装置が突出部材であり、また取付板上のロッキング装置がアパーチャと、当接部を備えた可撓性脚部であり、前記突出部材が前記アパーチャに嵌合し、前記可撓性脚部上の前記当接部によって正しい位置に保持される請求項７に記載のバックル。
【発明の詳細な説明】
【技術分野】
【０００１】
本発明は、バックルの底部のボタンを押圧することによってリリースすることが可能なバックルに関する。より詳しくは、本発明は内部構造と、サイド−リリース式バックルの強度を有し、なおも中央プッシュ式バックルのリリースが容易であるバックルに関する。
【背景技術】
【０００２】
二つの部材を一緒に連結するのに使用される二つの一般的なタイプのバックル、すなわち、中央プッシュ式バックルおよびサイド−リリース式バックルがある。中央プッシュ式バックルにおいて、バックルはバックルの雌部の中央に配置されたボタンを押圧することによってリリースされる。ボタンを押すことによりバックルの雄部を雌部から放出せしめる。中央プッシュ式バックルの一例はアンシュアによる米国特許第５，８５５，０５７号に開示されている。サイド−リリース式バックルにおいて、雄部は二つのロッキング脚部を有し、これが雌部の側部上のスロットに嵌合される。ロッキング脚部が互いに向き合う方向に押されると、雄部が雌部から放出される。サイド−リリース式バックルの一例はアンシュアによる米国意匠特許第Ｄ４０１，５３３号で見ることができる。一般的なサイド−リリース式および中央プッシュ式バックルの機構は、当該技術において周知であり、ここでは詳細な説明はしない。
【０００３】
中央プッシュ式バックルは、これらが一本の指で押すことができるので、使用が極めて便利である。しかし、バックルに対して必要とされる垂直方向の圧力がやっかいである。特に、バックルがベルトまたはブリーフケースに使用される場合はそうである。これは圧力が柔軟面に向かって作用されれば、バックルがその表面にちょうど向かって移動し、リリースしない。サイド−リリース式バックルが、概してより耐久性があり、かつ中央プッシュ式バックルに対する張力よりも耐えることができるので、しばしば求められている。サイド−リリース式バックルはブリーフケースおよびベルト適用例に使用することができる。これはバックルが休止する表面に対して圧力が平行に作用され、また表面の柔軟性によって影響されないからである。しかし、サイド−リリース式バックルは、それがリリースするのに二本の指を必要とするために不便である。
【特許文献１】米国特許第５，８５５，０５７号
【特許文献２】米国意匠特許第Ｄ４０１，５３３号
【発明の開示】
【発明が解決しようとする課題】
【０００４】
従って、本発明の目的はサイド−リリース式バックルの強度および耐久性を有し、中央プッシュ式バックルの操作が便利であるバックルを提供することである。
【０００５】
本発明の別の目的は、ブリーフケース、バックパックおよびベルトに好便に使用でき、柔軟面に対して休止されるバックルを提供することである。
【発明を実施するための最良の形態】
【０００６】
これらの目的および他の目的は、雄部と雌部とプッシュ・ボタンを備えたバックルによって達成される。雄部はベース、このベースに連結された中央脚部およびリリース・タブを有する少なくとも一つのロッキング脚部を備えている。雌部は二つの開放端部を伴う中空本体と、雄部が第一端を介して雌部に完全に挿入されたときにロッキング脚部を雌部にロックするためのキャッチを備えている。プッシュ・ボタンは第二端を介して雌部に挿入され、雄部が第一開放端内に挿入されたときに、雄部に対して長手方向にこれに向かうように、またこれから離れるように移動するように適用されている。このプッシュ・ボタンは指によって押圧されるように適用された外面を有するベースと、ベースに連結された少なくとも一つのリリース片を含んでいる。雄部が雌部にロックされたときに、プッシュ・ボタンが押し込まれ、リリース片をしてキャッチとリリース・タブ間を摺動してリリース・タブをキャッチからリリースせしめる。
【０００７】
好ましい実施例において、プッシュ・ボタンがベースの内面に取り付けられ、雌部の第一開口端に向かって延長するばねを有しており、これによってプッシュ・ボタンが押圧されることでばねをして雄部の中央脚部に抗してプッシュせしめられ、雄部が雌部から放出され、同時にリリース・タブのリリースがなされる。
【０００８】
好ましい実施例において、二つのロッキング脚部が中央脚部の対向側部に配備され、また、二つのキャッチが雌部に配備されており、これによって各ロッキング脚部が一つのキャッチによって雌部にロックされる。さらに、プッシュ・ボタンのベースに連結された二つのリリース片があり、各リリース片がロッキング脚部の一つを対応するキャッチからリリースするように適用されている。
【０００９】
中央脚部は、その自由端に取り付けられた横方向板を有しているのが好ましく、またばねは雄部に対面する端に取り付けられた横方向板を有しているのが好ましい。雄部が雌部にロックされ、プッシュ・ボタンが押圧されたときに、これら二つの板は互いに対してバイアスされる。
【００１０】
好ましい実施例において、プッシュ・ボタンは雌部から移動されないように雌部にロックされ、しかも雌部の内部に取り付けられた状態で第一開口端に向かって移動し、またこれから離れるように移動することが可能である。プッシュ・ボタンがこのプッシュ・ボタン上の一対の可撓性ラッチと雌部上の一対のリッジを介して雌部にロックされるのが好ましい。一度プッシュ・ボタンが雌部に挿入され、リッジに抗して休止されてプッシュ・ボタンが雌部からの放出を阻止すると、可撓性ラッチが外方に飛び出す。
【００１１】
雄部の雌部に対するロックを容易にするために、中央脚部上に案内溝が設けられ、また対応する案内トラックが雌部上に設けられる。雄部が雌部に挿入されたたときに、案内溝が案内トラックと係合して、雌部を介して雄部を直線上で案内する。別の方法として、案内トラックが雄部の中央脚部上に、また案内溝が雌部上に設けることもできる。
【００１２】
バックルがブリーフケースまたはバックパックのような表面に永久的に取り付けられる場合、取付板が設けられる。この取付板は雌部の外側上の対応するロッキング装置を受容し、雌部を表面に取り付けるように適用されたロッキング装置を有している。雌部上のロッキング装置は、突出部であるのが好ましく、また取付板上のロッキング装置はアパーチャおよび当接部分を伴う可撓性脚部であるのが好ましい。雌部の突出部がアパーチャに嵌合するとともに、可撓性脚部上の当接部分によって正しい位置に保持される。
【００１３】
雄部に連結されたストラップ固定バーを備え、ストラップを雄部に連結できるようになっていることが好ましい。ストラップを調整可能に設計する場合は、二つのバーを設けることもできる。
【００１４】
雄部上のリリース・タブは、雄部が雌部に完全に挿入されたときに、雌部上のキャッチと係合するフック部を含んでいるのが好ましい。
【００１５】
ばねはプッシュ・ボタンのベースから端に延長する二つの可撓性脚部を含んでおり、これら脚部は端で互いに連結されているのが好ましい。プッシュ・ボタンが押圧されることにより、脚部が互いに外側に、また互いに離れる方向に曲げられ、これによってばねがバイアス状態に置かれることになる。ばねがリリースされることにより、脚部が互いに後方に休止位置に撓められる。コイルばねのような他のタイプのばね、または他の適切なタイプのばねも使用することができる。
【００１６】
プッシュ・ボタン上のリリース片は、このプッシュ・ボタンが押圧されたときに、リリース・タブに沿って摺動され、リリース・タブがキャッチから離れるように移動し、雄部が雌部から放出される傾斜端部を備えているのが好ましい。
【００１７】
本発明に基づくバックルは、中央プッシュ式バックルの容易さだけでなく、サイド−リリース・バックルの強度と耐久性の点であらゆる利点を有している。
【００１８】
本発明の他の目的および特徴は、添付図面に関連する次なる詳細な説明から明白となろう。しかし、図面は図示を目的とするだけで、本発明の限定を規定するものではないことを理解すべきである。
【００１９】
図中、同様の参照符号は全図を通して同様の要素を示すものとする。
【００２０】
ここで図面を詳細に参照すると、図１は本発明に基づくバックル１を示す。バックル１は、雄部１０と雌部２０とプッシュ・ボタン３０と任意の取付板４０を備えている。雄部１０はベース１１、中央脚部１２および二つのサイド・ロッキング脚部１３を有している。各ロッキング脚部１３はその自由端にリリース・タブ１４を有している。中央脚部１２の自由端は横断板１５になっている。
【００２１】
雌部２０は第１端２２と第２端２３を伴う中空本体２１を備えている。プッシュ・ボタン３０は、ベース３１、可撓性脚部３２、３３からなるばねと二つのリリース片３４を備えている。可撓性脚部３２、３３はその底端でベース３１に連結され、その頂端で横断板３５に連結されている。バックル１の雌部２０がブリーフケース上のような固定面上に取り付けられる場合は、任意の取付板４０が設けられる。
【００２２】
図２は組み立てられ、事前ロックされた位置にあるバックル１の断面を示す。プッシュ・ボタン３０は、このプッシュ・ボタン３０によって第２端２３を介して雌部２０内に設置される。一度、可撓性ラッチ３７が第２端２３をクリアすると、ラッチが雌部２０に向かって飛び出し、雌部２０のリッジ２６に当接して、プッシュ・ボタン３０を雌部２０内にロックする。雄部１０に向かって、またこれから離れてさらに移動することができるプッシュ・ボタン３０は、雌部２０の第１端２２に挿入される。雄部１０の雌部２０への案内を助けるために、中央脚部１２に溝１７が設けられており、これが案内トラック２４を雌部２０の内部に案内する。
【００２３】
図３および４に示すように、雄部１０が完全に雌部２０に挿入されたときに、フック部１９が雌部２０上のキャッチ２０との相互作用を介してリリース・タブ１３が雌部２０にロックされる。この点において、中央脚部１２の横断板１５は、可撓性脚部３２、３３によって形成されたばねの頂部上に配備された横断板３５に抗して休止される。この点において、バックル１は従来のサイド−リリース・バックルと同じ方式でロックされる。ただ一つ異なる点は、リリース・タブ１３が従来のサイド−リリース・バックルのように雌部２０の外部を通って延長していないことである。
【００２４】
図５は初期リリース位置にあるバックル１を示す。ここで、プッシュ・ボタン３０がベース３１に抗して押圧されることで押され、これによってボタン３０をして雄部１０に向かって移動せしめられる。これが脚部３２、３３によって形成されたばねをして雄部１０の中央脚部１２の横断板１５に抗して圧縮せしめられ、加圧せしめられる。これと同時に、リリース片３４がリリース・タブ１３とキャッチ２９間を摺動して雄部１０を雌部２０から開放する。次に、雄部１０に対する脚部３２、３３からの圧力が雌部２０に加圧してバックル１を開放する。従って、バックル１はボタンの一押しでリリースされる。さらに押圧作用がバックル１の側面と平行に発生するので、バックル１はブリーフケース、バックパックおよびベルトのような柔軟面に取り付けることが理想である。従って、プッシュ・ボタン３０に対する圧力は、バックル１と平行に向けられ、かつ、ブリーフケースまたは本体の柔軟面を加圧しない。
【００２５】
雄部１０がストラップに取り付けられておれば、ストラップ・アッタチメント・バー１８、１９が雄部１０に設けられる。一本のベルトがバー１８、１９を介して螺合され、ベルトが調節可能に雄部１０に固定される。
【００２６】
図１、２および５に示すように、雌部２０にもストラップ保持バー３９を設けて、雌部をストラップに固定することができる。これは、バックル１がベルト・バックルとして使用される場合に重要である。
【００２７】
図６〜８は取付板４０が雌部２０に連結された完全に集合位置にあるバックル１を示す。図７に示すように、取付板４０は二つのアパーチャ４１と、可撓性脚部４２を備えており、各々アパーチャ４１近傍に当接部４３を有している。雌部２０は、二つの突出部５０を有しており、取付板４０上のアパーチャ４１の位置と位置的に対応している。雌部２０を取付板４０に取り付けるために、突出部５０がアパーチャ４１に挿入される。当接部４３が突出部５０に当接し、雌部２０が取付板４０に連結されたままになる。
【００２８】
従って、本発明の単一の実施例のみを示して説明したが、多数の変形例および修正例も本発明の概念および範囲から逸脱することなく可能である。
【図面の簡単な説明】
【００２９】
【図１】本発明に基づくバックルの好ましい実施例の分解組み立て図である。
【図２】事前ロック位置にある図１のバックルの線ＩＩ−ＩＩから見た平面断面図である。
【図３】ロック位置にある図１の線ＩＩ−ＩＩから見たバックルの斜視図である。
【図４】図３のバックルの平面図である。
【図５】プッシュ・ボタンの押圧された状態の図１の線ＩＩ−ＩＩから見た平面断面図である。
【図６】ロック位置にある図１のバックルの平面図である。
【図７】ロック位置にあり、取付板に取り付けられた図１のバックルの底面図である。
【図８】図７のバックルの斜視図である。
【符号の説明】
【００３０】
１  バックル
１０  雄部
１１  ベース
１２  中央脚部
１３  サイド・ロッキング脚部
１４  リリース・タブ
１５  横断板
２０  雌部
３０  プッシュ・ボタン
４０  取付板
【図１】
2005177454.tif 000003
【図２】
2005177454.tif 000004
【図３】
2005177454.tif 000005
【図４】
2005177454.tif 000006
【図５】
2005177454.tif 000007
【図６】
2005177454.tif 000008
【図７】
2005177454.tif 000009
【図８】
2005177454.tif 000010